【手続補正書】
【提出日】平成30年10月25日(2018.10.25)
【手続補正１】
【補正対象書類名】明細書
【補正対象項目名】０１９５
【補正方法】変更
【補正の内容】
【０１９５】
実施例５１並びに比較例Ｃ−８及びＣ−９
上記で概説されている通りの接着剤層を作製するための一般的手順に従って、実施例５１並びに比較例Ｃ−８及びＣ−９を溶液から調製した。１００部のアクリレートベースポリマーＢ６、６０部のＲｅｇａｌｉｔｅ（登録商標）Ｒ７１００粘着付与剤、及び表１７に示される通りの架橋剤を含有するブレンドから、接着剤を調製した。接着剤のコーティング厚さは５０μｍ＋／−２μｍであった。すでに記載されている通りの１８０°ピール接着力及び静的剪断測定のために、試験片を調製した。試験結果を表１７に示す。
【表１８】
2018501397.tif 000001
本発明の実施態様の一部を以下の項目［１］−［１５］に記載する。
［１］
ａ）アクリレートベースポリマーと、
ｂ）アクリレートベースポリマー１００重量部当たり０．１重量部超の量の共重合した（ＩＩ）型光架橋剤と、
ｃ）共重合した水素供与性モノマーと、
ｄ）アクリレートベースポリマー１００重量部当たり４０重量部超の量の炭化水素粘着付与性樹脂と、を含み、
ａ）、ｂ）及びｃ）の総酸含有量はゼロであるか、又はａ）、ｂ）及びｃ）の総酸含有量はゼロ超かつ３％以下であるかのいずれかである、放射線架橋可能な感圧性接着剤前駆体。
［２］
共重合した（ＩＩ）型光架橋剤が、前記アクリレートベースポリマーとは異なる、架橋性ポリマー中のコモノマーである、項目１に記載の前駆体。
［３］
前記共重合した水素供与性モノマーが、前記アクリレートベースポリマーとは異なる、架橋性ポリマー中のコモノマーである、項目１又は２に記載の前駆体。
［４］
炭化水素粘着付与性樹脂の量が、アクリレートベースポリマー１００重量部当たり８０重量部超である、項目１〜３のいずれか一項に記載の前駆体。
［５］
前記共重合した（ＩＩ）型光架橋剤の量が、前記アクリレートベースポリマー１００重量部当たり０．１８〜０．７重量部である、項目１〜４のいずれか一項に記載の前駆体。
［６］
前記共重合した水素供与性モノマーの量が、前記アクリレートベースポリマー１００重量部当たり０．１〜３重量部である、項目１〜５のいずれか一項に記載の前駆体。
［７］
前記共重合した（ＩＩ）型光架橋剤が、モノエチレン性不飽和芳香族ケトンからなる群から選択され、好ましくは、パラ−アクリロキシベンゾフェノン（ＡＢＰ）、パラ−アクリロキシエトキシベンゾフェノン（ＡＥＢＰ）、パラ−Ｎ−（メチルアクリロキシエチル）−カルバモイルエトキシベンゾフェノン、４−アクリロイルオキシジエトキシ−４−クロロベンゾフェノン、パラ−アクリロキシアセトフェノン、オルト−アクリルアミドアセトフェノン、アクリレート化アントラキノン、及びそれらの任意の組合せからなる群から選択される、項目１〜６のいずれか一項に記載の前駆体。
［８］
前記共重合した水素供与性モノマーが、（メタ）アクリルアミド、少なくとも１個の窒素官能基を含有する（メタ）アクリレートモノマー、少なくとも１個の窒素官能基を含有するウレタン（メタ）アクリレートモノマー、少なくとも１つの窒素官能基を含有するビニル系モノマー、及びそれらの組合せからなる群から選択される、項目１〜７のいずれか一項に記載の前駆体。
［９］
前記共重合した水素供与性モノマーが、Ｎ，Ｎ−ジメチル（メタ）アクリルアミド、Ｎ，Ｎ−ジエチル（メタ）アクリルアミド、Ｎ−ビニルカプロラクタム、Ｎ−ビニルピロリドン、Ｎ−イソプロピル（メタ）アクリルアミド、Ｎ，Ｎ−ジメチルアミノエチル（メタ）アクリレート、２−［［（ブチルアミノ）カルボニル］オキシ］エチル（メタ）アクリレート、Ｎ，Ｎ−ジメチルアミノプロピル（メタ）アクリルアミド、Ｎ，Ｎ−ジエチルアミノプロピル（メタ）アクリルアミド、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノエチル（メタ）アクリルアミド、Ｎ，Ｎ−ジエチルアミノエチル（メタ）アクリルアミド、（メタ）アクリロイルモルホリン、ビニルアセトアミド、及びそれらの任意の組合せ又は混合物からなる群から選択され、好ましくはまた、本発明における使用のための共重合した水素供与性モノマーが、Ｎ，Ｎ−ジメチルアクリルアミド、Ｎ，Ｎ−ジメチルアミノエチル（メタ）アクリレート、Ｎ，Ｎ−ジエチルアミノエチル（メタ）アクリレート、ビニルアセトアミド、及びそれらの任意の組合せ又は混合物からなる群から選択される、項目１〜８のいずれか一項に記載の前駆体。
［１０］
項目１〜９のいずれか一項に記載の前駆体の架橋形態を含む接着剤。
［１１］
項目１〜９のいずれか一項に記載の前駆体又は項目１１に記載の接着剤を含む物品。
［１２］
１つ以上の被着体を更に含む、項目１１に記載の物品。
［１３］
テープである、項目１１又は１２に記載の物品。
［１４］
ラベルである、項目１１又は１２に記載の物品。
［１５］
剥離ライナーを更に含む、項目１１〜１４のいずれか一項に記載の物品。
【手続補正２】
【補正対象書類名】特許請求の範囲
【補正対象項目名】全文
【補正方法】変更
【補正の内容】
【特許請求の範囲】
【請求項１】
ａ）アクリレートベースポリマーと、
ｂ）アクリレートベースポリマー１００重量部当たり０．１重量部超の量の共重合した（ＩＩ）型光架橋剤と、
ｃ）共重合した水素供与性モノマーと、
ｄ）アクリレートベースポリマー１００重量部当たり４０重量部超の量の炭化水素粘着付与性樹脂と、を含み、
ａ）、ｂ）及びｃ）の総酸含有量はゼロであるか、又はａ）、ｂ）及びｃ）の総酸含有量はゼロ超かつ３％以下であるかのいずれかである、放射線架橋可能な感圧性接着剤前駆体。
【請求項２】
前記共重合した（ＩＩ）型光架橋剤が、前記アクリレートベースポリマーとは異なる、架橋性ポリマー中のコモノマーである、請求項１に記載の前駆体。
【請求項３】
前記共重合した水素供与性モノマーが、前記アクリレートベースポリマーとは異なる、架橋性ポリマー中のコモノマーである、請求項１又は２のいずれかに記載の前駆体。
【請求項４】
前記共重合した（ＩＩ）型光架橋剤の量が、前記アクリレートベースポリマー１００重量部当たり０．１８〜０．７重量部である、請求項１〜３のいずれか一項に記載の前駆体。
【請求項５】
前記共重合した水素供与性モノマーの量が、前記アクリレートベースポリマー１００重量部当たり０．１〜３重量部である、請求項１〜４のいずれか一項に記載の前駆体。
【請求項６】
前記共重合した水素供与性モノマーが、（メタ）アクリルアミド、少なくとも１個の窒素官能基を含有する（メタ）アクリレートモノマー、少なくとも１個の窒素官能基を含有するウレタン（メタ）アクリレートモノマー、少なくとも１つの窒素官能基を含有するビニル系モノマー、及びそれらの組合せからなる群から選択される、請求項１〜５のいずれか一項に記載の前駆体。
【請求項７】
前記共重合した水素供与性モノマーが、Ｎ，Ｎ−ジメチル（メタ）アクリルアミド、Ｎ，Ｎ−ジエチル（メタ）アクリルアミド、Ｎ−ビニルカプロラクタム、Ｎ−ビニルピロリドン、Ｎ−イソプロピル（メタ）アクリルアミド、Ｎ，Ｎ−ジメチルアミノエチル（メタ）アクリレート、２−［［（ブチルアミノ）カルボニル］オキシ］エチル（メタ）アクリレート、Ｎ，Ｎ−ジメチルアミノプロピル（メタ）アクリルアミド、Ｎ，Ｎ−ジエチルアミノプロピル（メタ）アクリルアミド、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノエチル（メタ）アクリルアミド、Ｎ，Ｎ−ジエチルアミノエチル（メタ）アクリルアミド、（メタ）アクリロイルモルホリン、ビニルアセトアミド、及びそれらの任意の組合せ又は混合物からなる群から選択され、好ましくはＮ，Ｎ−ジメチルアクリルアミド、Ｎ，Ｎ−ジメチルアミノエチル（メタ）アクリレート、Ｎ，Ｎ−ジエチルアミノエチル（メタ）アクリレート、ビニルアセトアミド、及びそれらの任意の組合せ又は混合物からなる群から選択される、請求項１〜６のいずれか一項に記載の前駆体。
【請求項８】
請求項１〜７のいずれか一項に記載の前駆体の架橋形態を含む接着剤。
【請求項９】
請求項１〜７のいずれか一項に記載の前駆体又は請求項８に記載の接着剤を含む物品。
【請求項１０】
テープである、請求項９に記載の物品。